(57)【要約】  アップリンクデータを基地局に送信するサブキャリアがユーザ端末に割り当てられている通信システムについて述べている。アップリンクで送信されるデータに対するＡＣＫ／ＮＡＣＫメッセージが、アップリンクデータを伝送するために使用されたサブキャリアに依存したサブキャリアによって基地局により送信される。ＡＣＫ／ＮＡＣＫメッセージ用に使用されるサブキャリアをアップリンクサブキャリアから決定するために、好ましくはダイレクトマッピングが用いられる。他の実施形態においては、ＡＣＫ／ＮＡＣＫメッセージは、あらかじめユーザ端末に決められたサブキャリアにより、好ましくはその制御チャンネルにおいて１以上のインデックス値をユーザ端末に送信することにより、ユーザ端末に送信される。
2009540626.tif 000002
【特許請求の範囲】
【請求項１】
複数のサブキャリアを用いる通信方法であって、
１以上のユーザ端末からアップリンクデータを受信し、該受信データに対して対応するＡＣＫ／ＮＡＣＫメッセージを生成し、
複数のユーザ端末のそれぞれに対する前記サブキャリアの割当を定義する制御データを形成し、
前記制御データを前記ユーザ端末に送信し、
前記ＡＣＫ／ＮＡＣＫメッセージを対応するユーザ端末に送信し、
各ユーザ端末に対する制御データは、前記サブキャリアの第１のサブセットを用いた制御チャンネルにより送信され、各ユーザ端末に対するＡＣＫ／ＮＡＣＫメッセージは、前記制御チャンネルとは別個のＡＣＫ／ＮＡＣＫチャンネル上で、前記制御チャンネルとは異なる前記サブキャリアの第２のサブセットを用いて送信される、通信方法。
【請求項２】
サブキャリアを一連のチャンクに分類し、前記制御データは、サブキャリアの１以上のチャンクを前記複数のユーザ端末のそれぞれに割り当てることが可能である、請求項１の方法。
【請求項３】
前記形成ステップは、アンリンクデータの送信に使用するために、サブキャリアの前記１以上のチャンクを前記ユーザ端末のそれぞれに割り当てる制御データを形成する、請求項２の方法。
【請求項４】
前記生成ステップは、サブキャリアの各チャンクにより受信されたデータに対するＡＣＫ／ＮＡＣＫメッセージを生成する、請求項３の方法。
【請求項５】
前記送信ステップは、前記第２のサブセットから１以上のサブキャリアを用いてそれぞれ形成されたＡＣＫ／ＮＡＣＫメッセージをそれぞれのＡＣＫ／ＮＡＣＫチャンネルで送信する、請求項４の方法。
【請求項６】
アンリンクデータを送信するためにユーザ端末に割り当てられたサブキャリアに応じて、ＡＣＫ／ＮＡＣＫメッセージをユーザ端末に送信するために使用されるサブキャリアを決定する、請求項１から５のいずれかの方法。
【請求項７】
チャンク内のサブキャリア数をＬ、ＡＣＫ／ＮＡＣＫメッセージが送信されるユーザ端末に割り当てられたチャンク番号をｉ、ＡＣＫ／ＮＡＣＫチャンネルごとに割り当てられるサブキャリア数をＭ、チャンク内のＡＣＫ／ＮＡＣＫサブキャリアポジションオフセットをΔ、割り当てられた帯域幅内のチャンクの総数をＮとすると、以下の式を用いて各ＡＣＫ／ＮＡＣＫメッセージを送信するために使用されるサブキャリアを決定する、請求項６の方法。
ポジション［０］＝Ｌ×（ｉ div Ｍ）＋（ｉ mod Ｍ）＋Δ
ここで、０≦Δ＜Ｌであり、ｊ＞０に対しては、
ポジション［ｊ］＝ポジション［ｊ−１］＋Ｌ×Ｎ／Ｍ
【請求項８】
チャンク内のサブキャリア数をＬ、ＡＣＫ／ＮＡＣＫメッセージが送信されるユーザ端末に割り当てられたチャンク番号をｉ、ＡＣＫ／ＮＡＣＫチャンネルごとに割り当てられるサブキャリア数をＭ、チャンク内のＡＣＫ／ＮＡＣＫサブキャリアポジションオフセットをΔ、割り当てられた帯域幅内のチャンクの総数をＮ、サブキャリアを割り当てることができる利用可能なシンボル数をＮｓｙｍとすると、以下の式を用いて各ＡＣＫ／ＮＡＣＫメッセージを送信するために使用されるサブキャリアを決定する、請求項６の方法。
ポジション［０］＝Ｌ×ｉ＋Δ
ここで、０≦Δ＜Ｌであり、ｊ＞０およびｊ＜Ｍに対しては、シンボルｊ×Ｎｓｙｍ／Ｍにおいて、
ポジション［ｊ］＝（（ポジション［ｊ−１］＋Ｌ×Ｎ／Ｍ） mod Ｌ×Ｎ）
【請求項９】
前記形成ステップは、１つはダウンリンクデータを受信するためにスケジューリングされたユーザ端末用、もう１つはアップリンクデータを送信するためにスケジューリングされたユーザ端末用の２つのタイプの制御データを形成する、請求項１から８のいずれかの方法。
【請求項１０】
前記第１および第２のタイプの制御データの少なくとも一方が、それぞれのタイプの制御データが同一のサイズを有するように調整データを含んでいる、請求項９の方法。
【請求項１１】
それぞれのタイプの制御データのサイズがサブキャリアの２つのチャンクに対応している、請求項１０の方法。
【請求項１２】
現在のサブフレームにおいてデータを送信および／または受信するようにスケジューリングされている各ユーザ端末用のそれぞれの制御データを形成し、それぞれの制御データを該ユーザ端末専用のチャンネルにより対応するユーザ端末に送信する、請求項１から１１のいずれかの方法。
【請求項１３】
前記通信システムは、それぞれ一連のチャンクに配置されたサブキャリアを有する複数のサブバンドを使用し、各サブバンドにおけるサブキャリア割当用の制御データをそれぞれ生成する、請求項１から１２のいずれかの方法。
【請求項１４】
サブバンド用の制御データはそのサブバンドにおいて信号送信される、請求項１３の方法。
【請求項１５】
現在のサブフレームにおいてスケジューリングされたそれぞれのユーザ端末に対して別個の制御チャンネルが設けられ、最大数のユーザ端末が現在のサブフレーム内でスケジューリング可能である、請求項１から１４のいずれかの方法。
【請求項１６】
現在のサブフレームにおいてスケジューリングされているユーザ端末の数が前記最大数よりも少なく、いくつかの制御チャンネルリソースが解放されユーザデータによって使用される、請求項１５の方法。
【請求項１７】
先行する制御チャンネルにおける１つのビットフィールドを用いて制御チャンネルが存在しないことが示される、請求項１６の方法。
【請求項１８】
さらに、ユーザ端末に対するＡＣＫ／ＮＡＣＫメッセージ用に使用されるリソースを割り当て、前記割り当てられたＡＣＫ／ＮＡＣＫリソースを識別するデータをユーザ端末に送信する、請求項１の方法。
【請求項１９】
前記制御チャンネル内に前記割り当てられたＡＣＫ／ＮＡＣＫリソースを識別するための前記データを送信する、請求項１８の方法。
【請求項２０】
前記ＡＣＫ／ＮＡＣＫリソースを識別するデータは、各リソースを識別するインデックスを有する、請求項１８または１９の方法。
【請求項２１】
複数のサブキャリアを使用する通信方法であって、
前記サブキャリアの割当を定義する制御データを受信し、
前記割り当てられたサブキャリアを用いてアップリンクデータを送信し、
前記送信されたアップリンクデータに対するＡＣＫ／ＮＡＣＫメッセージを受信し、
前記制御データは、前記サブキャリアの第１のサブセットを用いた制御チャンネルにより受信され、
前記ＡＣＫ／ＮＡＣＫメッセージは、前記制御チャンネルとは別個のＡＣＫ／ＮＡＣＫチャンネル上で、前記制御チャンネルとは異なる前記サブキャリアの第２のサブセットを用いて受信される、通信方法。
【請求項２２】
前記受信された制御データは、前記アンリンクデータを送信するために使用されるサブキャリアの１以上のチャンクを識別する、請求項２１の方法。
【請求項２３】
前記受信ステップは、サブキャリアのそれぞれのチャンクにより送信されるアップリンクデータに対するＡＣＫ／ＮＡＣＫメッセージを受信する、請求項２２の方法。
【請求項２４】
前記受信ステップは、前記第２のサブセットから１以上のサブキャリアを用いてそれぞれ形成されたＡＣＫ／ＮＡＣＫメッセージをそれぞれのＡＣＫ／ＮＡＣＫチャンネルで受信する、請求項２３の方法。
【請求項２５】
前記アップリンクデータを送信するためにユーザ端末に割り当てられたサブキャリアに応じて、ＡＣＫ／ＮＡＣＫメッセージが受信されるサブキャリアを決定する、請求項２１から２４のいずれかの方法。
【請求項２６】
チャンク内のサブキャリア数をＬ、ＡＣＫ／ＮＡＣＫメッセージが送信されるユーザ端末に割り当てられたチャンク番号をｉ、ＡＣＫ／ＮＡＣＫチャンネルごとに割り当てられるサブキャリア数をＭ、チャンク内のＡＣＫ／ＮＡＣＫサブキャリアポジションオフセットをΔ、割り当てられた帯域幅内のチャンクの総数をＮとすると、以下の式を用いて各ＡＣＫ／ＮＡＣＫメッセージが受信されるサブキャリアを決定する、請求項２５の方法。
ポジション［０］＝Ｌ×（ｉ div Ｍ）＋（ｉ mod Ｍ）＋Δ
ここで、０≦Δ＜Ｌであり、ｊ＞０に対しては、
ポジション［ｊ］＝ポジション［ｊ−１］＋Ｌ×Ｎ／Ｍ
【請求項２７】
チャンク内のサブキャリア数をＬ、ＡＣＫ／ＮＡＣＫメッセージが送信されるユーザ端末に割り当てられたチャンク番号をｉ、ＡＣＫ／ＮＡＣＫチャンネルごとに割り当てられるサブキャリア数をＭ、チャンク内のＡＣＫ／ＮＡＣＫサブキャリアポジションオフセットをΔ、割り当てられた帯域幅内のチャンクの総数をＮ、サブキャリアを割り当てることができる利用可能なシンボル数をＮｓｙｍとすると、以下の式を用いて各ＡＣＫ／ＮＡＣＫメッセージが受信されるサブキャリアを決定する、請求項２５の方法。
ポジション［０］＝Ｌ×ｉ＋Δ
ここで、０≦Δ＜Ｌであり、ｊ＞０およびｊ＜Ｍに対しては、シンボルｊ×Ｎｓｙｍ／Ｍにおいて、
ポジション［ｊ］＝（（ポジション［ｊ−１］＋Ｌ×Ｎ／Ｍ） mod Ｌ×Ｎ）
【請求項２８】
前記受信ステップは、該ユーザ端末専用のチャンネルにより前記制御データを受信する、請求項２１から２７のいずれかの方法。
【請求項２９】
前記通信システムは、それぞれ一連のチャンクに配置されたサブキャリアを有する複数のサブバンドを使用し、各サブバンドにおけるサブキャリア割当用の制御データをそれぞれ受信する、請求項２１から２８のいずれかの方法。
【請求項３０】
サブバンド用の制御データはそのサブバンドにおいて信号送信される、請求項２９の方法。
【請求項３１】
さらに、ＡＣＫ／ＮＡＣＫメッセージを受信するための、割り当てられたＡＣＫ／ＮＡＣＫリソースを識別するデータを受信する、請求項２１の方法。
【請求項３２】
前記受信ステップは、前記割り当てられたＡＣＫ／ＮＡＣＫリソースを識別する前記データを前記制御チャンネル内で受信する、請求項３１の方法。
【請求項３３】
前記ＡＣＫ／ＮＡＣＫリソースを識別する前記データは、各リソースを識別するインデックスを有し、前記インデックスから割り当てられたリソースを決定する、請求項３１または３２の方法。
【請求項３４】
複数のサブキャリアを使用する通信方法であって、
複数のユーザ端末のそれぞれに対する前記サブキャリアの割当を定義する制御データを形成し、
前記制御データを前記ユーザ端末に送信し、
ユーザ端末からアップリンクデータを受信し、
ユーザ端末に対するＡＣＫ／ＮＡＣＫメッセージを生成し、
ユーザ端末に割り当てられたサブキャリアに応じて、ＡＣＫ／ＮＡＣＫメッセージを該ユーザ端末に送信するために使用される１以上のサブキャリアを決定し、
決定された１以上のサブキャリアにより前記ＡＣＫ／ＮＡＣＫメッセージをユーザ端末に送信する、通信方法。
【請求項３５】
前記決定ステップは、割り当てられたサブキャリアと、ＡＣＫ／ＮＡＣＫメッセージ用に使用されるサブキャリアとの間で所定のマッピングを用いる、請求項３４の方法。
【請求項３６】
複数のサブキャリアを使用する通信方法であって、
アップリンクデータを送信可能な前記サブキャリアの割当を定義する制御データを受信し、
割り当てられたサブキャリアを用いて前記アップリンクデータを送信し、
前記アップリンクデータを送信するために割り当てられたサブキャリアに応じて、送信されたアップリンクデータに対するＡＣＫ／ＮＡＣＫメッセージを受信するために使用される１以上のサブキャリアを決定し、
送信されたアップリンクデータに対するＡＣＫ／ＮＡＣＫメッセージを決定されたサブキャリアにより受信する、通信方法。
【請求項３７】
前記決定ステップは、アップリンク用に割り当てられたサブキャリアと、ＡＣＫ／ＮＡＣＫメッセージ用に使用されるサブキャリアとの間で所定のマッピングを用いる、請求項３６の方法。
【請求項３８】
プログラム可能なコンピュータ装置に請求項１から３７のいずれかの方法を実施させる、コンピュータにより実行可能な命令。
【請求項３９】
コンピュータ読み取り可能な媒体上に記録された、請求項３８のコンピュータにより実行可能な命令。
【請求項４０】
複数のサブキャリアを使って複数のユーザ端末と通信可能な通信ノードであって、
１以上のユーザ端末からアップリンクデータを受信することが可能であり、受信されたデータに対応するＡＣＫ／ＮＡＣＫメッセージを生成することが可能な受信器と、
複数のユーザ端末のそれぞれに対する前記サブキャリアの割当を定義する制御データを形成することが可能なコントローラと、
前記制御データを前記ユーザ端末に送信し、前記ＡＣＫ／ＮＡＣＫメッセージを対応するユーザ端末に送信することが可能な送信器とを備え、
前記送信器は、前記サブキャリアの第１のサブセットを用いて前記制御データを各ユーザ端末に送信し、前記制御チャンネルとは別個のＡＣＫ／ＮＡＣＫチャンネル上で、前記制御チャンネルとは異なる前記サブキャリアの第２のサブセットを用いて前記ＡＣＫ／ＮＡＣＫメッセージを送信することが可能である、通信ノード。
【請求項４１】
複数のサブキャリアを用いた複数のユーザ端末と通信可能な通信ノードと通信することが可能なユーザ端末であって、
前記サブキャリアの割当を定義する制御データを受信することが可能な受信器と、
割り当てられたサブキャリアを用いてアップリンクデータを送信することが可能な送信器とを備え、
前記受信器は、送信されたアップリンクデータに対するＡＣＫ／ＮＡＣＫメッセージを受信することが可能であり、
前記受信器は、前記サブキャリアの第１のサブセットを用いた制御チャンネルを通じて前記制御データを受信し、前記制御チャンネルとは別個のＡＣＫ／ＮＡＣＫチャンネル上で、前記制御チャンネルとは異なる前記サブキャリアの第２のサブセットを用いて前記ＡＣＫ／ＮＡＣＫメッセージを受信することが可能である、ユーザ端末。
【請求項４２】
添付図面を参照して実質的に述べられまたは添付図面に実質的に示された通信方法または装置。
【発明の詳細な説明】
【技術分野】
【０００１】
本発明は、通信方法および装置におけるＡＣＫ／ＮＡＣＫメッセージの信号送信に関するものである。本発明は特に直交周波数分割多元接続（ＯＦＤＭＡ）通信システムにおいてＡＣＫ／ＮＡＣＫメッセージを信号送信することに関連するが、これに限定されるものではない。
【０００２】
本発明は、２００６年６月２０日に出願された英国特許出願第０６１２２２８．７号および２００７年３月２０日に出願された英国出願第０７０５３４１．６号に基づく優先権の利益を主張するものであり、前記英国出願のすべての開示は参照により本出願に組み込まれる。
【背景技術】
【０００３】
現在３ＧＰＰ（第三世代の移動体通信システムの将来の展開を検討している規格ベースの共同研究である）において研究されているＥ−ＵＴＲＡ無線インターフェイス用のダウンリンクおよびアップリンク多元接続スキームとして、ＯＦＤＭＡおよびシングルキャリアＦＤＭＡが選ばれている。Ｅ−ＵＴＲＡシステムでは、効率的かつ高速なリンクアダプテーションを可能にし、かつマルチユーザダイバーシティゲインを最大にするために、多数のユーザ端末と通信する基地局は、すべての時間／周波数リソースを（帯域幅に応じて）同時に存在するできるだけ多くのユーザに割り当てる。それぞれのユーザ端末に割り当てられるリソースは、その瞬間におけるユーザ端末と基地局との間のチャンネル条件に基づいており、ユーザ端末によりモニタされる制御チャンネルを通じて通知される。
【０００４】
データがユーザ端末から基地局に送信されるときには、典型的には、肯定応答（ＡＣＫ）または否定応答（ＮＡＣＫ）が基地局からユーザ端末に返信される。Ｅ−ＵＴＲＡに対する現在の提案では、これらのＡＣＫ／ＮＡＣＫメッセージはユーザ端末用のダウンリンク制御チャンネルにて送信される。しかしながら、本発明者は、これにより制御チャンネルのサイズがユーザ端末の状況によって変化してしまうという問題が生じることに気づいた。
【発明の開示】
【課題を解決するための手段】
【０００５】
一態様によれば、本発明は、典型的には基地局で実施される、複数のサブキャリアを用いて複数のユーザ端末と通信する通信方法であって、ユーザ端末からアップリンクデータを受信し、該受信データに対して対応するＡＣＫ／ＮＡＣＫメッセージを生成し、ユーザ端末に対する前記サブキャリアの割当を定義する制御データを形成し、前記制御データをユーザ端末に送信し、前記ＡＣＫ／ＮＡＣＫメッセージを対応するユーザ端末に送信し、前記制御データは、前記サブキャリアの第１のサブセットを用いた制御チャンネルにより送信され、前記ＡＣＫ／ＮＡＣＫメッセージは、前記制御チャンネルとは別個のＡＣＫ／ＮＡＣＫチャンネル上で、前記制御チャンネルとは異なる前記サブキャリアの第２のサブセットを用いて送信される、通信方法を提供する。
【０００６】
好ましくは、サブキャリアは一連のチャンクまたはリソースブロック（ＲＢ）に分類され、制御チャンネルは、サブキャリアの１以上のチャンクを複数のユーザ端末のそれぞれに割り当てる。一実施形態においては、サブキャリアの各チャンクにより受信されたデータに対するＡＣＫ／ＮＡＣＫメッセージが生成される。
【０００７】
好ましくは、ＡＣＫ／ＮＡＣＫメッセージをユーザ端末に送信するために使用されるサブキャリアは、受信応答の対象であるアップリンクデータを送信するためにユーザ端末に割り当てられたサブキャリアに応じて決定される。これにより、基地局が別個にデータを各ユーザ端末に信号送信してそのユーザ端末に対してＡＣＫ／ＮＡＣＫメッセージを伝送するサブキャリアを識別する必要がなくなる。アップリンクデータ用に使用されるサブキャリアとＡＣＫ／ＮＡＣＫメッセージ用に使用されるサブキャリアとの間の依存関係は、好ましくはダイレクトマッピング関数により定義される。
【０００８】
一実施形態においては、チャンク内のサブキャリア数をＬ、ＡＣＫ／ＮＡＣＫメッセージが送信されるユーザ端末に割り当てられたチャンク番号をｉ、ＡＣＫ／ＮＡＣＫチャンネルごとに割り当てられるサブキャリア数をＭ、チャンク内のＡＣＫ／ＮＡＣＫサブキャリアポジションオフセットをΔ、割り当てられた帯域幅内のチャンクの総数をＮとすると、各ＡＣＫ／ＮＡＣＫメッセージを送信するために用いられるサブキャリアは、以下のマッピング関数を用いて決定される。
【０００９】
ポジション［０］＝Ｌ×（ｉ div Ｍ）＋（ｉ mod Ｍ）＋Δ
ここで、０≦Δ＜Ｌであり、ｊ＞０に対しては、
ポジション［ｊ］＝ポジション［ｊ−１］＋Ｌ×Ｎ／Ｍ
【００１０】
他の実施形態においては、チャンク内のサブキャリア数をＬ、ＡＣＫ／ＮＡＣＫメッセージが送信されるユーザ端末に割り当てられたチャンク番号をｉ、ＡＣＫ／ＮＡＣＫチャンネルごとに割り当てられるサブキャリア数をＭ、チャンク内のＡＣＫ／ＮＡＣＫサブキャリアポジションオフセットをΔ、割り当てられた帯域幅内のチャンクの総数をＮ、サブキャリアを割り当てることができる利用可能なシンボル数をＮｓｙｍとすると、各ＡＣＫ／ＮＡＣＫメッセージを送信するために用いられるサブキャリアは、以下のマッピング関数を用いて決定される。
【００１１】
ポジション［０］＝Ｌ×ｉ＋Δ
ここで、０≦Δ＜Ｌであり、ｊ＞０およびｊ＜Ｍに対しては、シンボルｊ×Ｎｓｙｍ／Ｍにおいて、
ポジション［ｊ］＝（（ポジション［ｊ−１］＋Ｌ×Ｎ／Ｍ） mod Ｌ×Ｎ）
【００１２】
一実施形態においては、ＡＣＫ／ＮＡＣＫメッセージ用に使用されるリソースが、アップリンク送信用に使用されるアップリンクリソースを識別するＬ１／Ｌ２制御チャンネルにより各ユーザ端末に信号送信される。これは、例えば、使用されるリソースを識別する少なくとも１つのインデックスを信号送信することにより実現することができる。
【００１３】
また、本発明は、（典型的にはユーザ端末において実施される）複数のサブキャリアを使用する通信方法であって、前記サブキャリアの割当を定義する制御データを受信し、前記割り当てられたサブキャリアを用いてアップリンクデータを送信し、前記送信されたアップリンクデータに対するＡＣＫ／ＮＡＣＫメッセージを受信し、前記制御データは、前記サブキャリアの第１のサブセットを用いた制御チャンネルにより受信され、前記ＡＣＫ／ＮＡＣＫメッセージは、前記制御チャンネルとは別個のＡＣＫ／ＮＡＣＫチャンネル上で、前記制御チャンネルとは異なる前記サブキャリアの第２のサブセットを用いて受信される、通信方法を提供する。
【００１４】
一実施形態においては、受信ステップは、サブキャリアのそれぞれのチャンクにより送信されるアップリンクデータに対するＡＣＫ／ＮＡＣＫメッセージを受信する。
【００１５】
好ましい一実施形態においては、ＡＣＫ／ＮＡＣＫメッセージが受信されるサブキャリアが、前記アップリンクデータを送信するためにユーザ端末に割り当てられたサブキャリアに応じて決定される。これにより、ＡＣＫ／ＮＡＣＫメッセージを送信する局が、ユーザ端末に、そのユーザ端末に対してＡＣＫ／ＮＡＣＫメッセージを伝送するのに用いるサブキャリアを通知する必要がなくなる。アップリンクデータ用に使用されるサブキャリアとＡＣＫ／ＮＡＣＫメッセージ用に使用されるサブキャリアとの間の依存関係は、好ましくはダイレクトマッピング関数により定義される。
【００１６】
一実施形態においては、チャンク内のサブキャリア数をＬ、ＡＣＫ／ＮＡＣＫメッセージが送信されるユーザ端末に割り当てられたチャンク番号をｉ、ＡＣＫ／ＮＡＣＫチャンネルごとに割り当てられるサブキャリア数をＭ、チャンク内のＡＣＫ／ＮＡＣＫサブキャリアポジションオフセットをΔ、割り当てられた帯域幅内のチャンクの総数をＮとすると、ユーザ端末は、以下のマッピング関数を用いて各ＡＣＫ／ＮＡＣＫメッセージが受信されるサブキャリアを決定する。
【００１７】
ポジション［０］＝Ｌ×（ｉ div Ｍ）＋（ｉ mod Ｍ）＋Δ
ここで、０≦Δ＜Ｌであり、ｊ＞０に対しては、
ポジション［ｊ］＝ポジション［ｊ−１］＋Ｌ×Ｎ／Ｍ
【００１８】
他の実施形態においては、チャンク内のサブキャリア数をＬ、ＡＣＫ／ＮＡＣＫメッセージが送信されるユーザ端末に割り当てられたチャンク番号をｉ、ＡＣＫ／ＮＡＣＫチャンネルごとに割り当てられるサブキャリア数をＭ、チャンク内のＡＣＫ／ＮＡＣＫサブキャリアポジションオフセットをΔ、割り当てられた帯域幅内のチャンクの総数をＮ、サブキャリアを割り当てることができる利用可能なシンボル数をＮｓｙｍとすると、ユーザ端末は、以下のマッピング関数を用いて各ＡＣＫ／ＮＡＣＫメッセージが受信されるサブキャリアを決定する。
【００１９】
ポジション［０］＝Ｌ×ｉ＋Δ
ここで、０≦Δ＜Ｌであり、ｊ＞０およびｊ＜Ｍに対しては、シンボルｊ×Ｎｓｙｍ／Ｍにおいて、
ポジション［ｊ］＝（（ポジション［ｊ−１］＋Ｌ×Ｎ／Ｍ） mod Ｌ×Ｎ）
【００２０】
一実施形態においては、ＡＣＫ／ＮＡＣＫメッセージ用に使用されるリソースが、制御チャンネルにより各ユーザ端末に信号送信される。これは、例えば、使用されるリソースを識別するインデックス値を信号送信することにより実現することができる。
【００２１】
また、本発明は、上述した方法を実施可能なユーザ端末および通信ノードを提供する。
【００２２】
他の態様によれば、本発明は、複数のサブキャリアを使用する通信方法であって、複数のユーザ端末のそれぞれに対する前記サブキャリアの割当を定義する制御データを形成し、前記制御データを前記ユーザ端末に送信し、ユーザ端末からアップリンクデータを受信し、ユーザ端末に対するＡＣＫ／ＮＡＣＫメッセージを生成し、ユーザ端末に割り当てられたサブキャリアに応じて、ＡＣＫ／ＮＡＣＫメッセージを該ユーザ端末に送信するために使用される１以上のサブキャリアを決定し、決定された１以上のサブキャリアにより前記ＡＣＫ／ＮＡＣＫメッセージをユーザ端末に送信する、通信方法を提供する。
【００２３】
一実施形態においては、上記決定ステップは、割り当てられたサブキャリアと、ＡＣＫ／ＮＡＣＫメッセージ用に使用されるサブキャリアとの間で所定のマッピングを用いた。一実施形態においては、チャンク内のサブキャリア数をＬ、ＡＣＫ／ＮＡＣＫメッセージが送信されるユーザ端末に割り当てられたチャンク番号をｉ、ＡＣＫ／ＮＡＣＫチャンネルごとに割り当てられるサブキャリア数をＭ、チャンク内のＡＣＫ／ＮＡＣＫサブキャリアポジションオフセットをΔ、割り当てられた帯域幅内のチャンクの総数をＮとすると、以下のマッピングが使用される。
【００２４】
ポジション［０］＝Ｌ×（ｉ div Ｍ）＋（ｉ mod Ｍ）＋Δ
ここで、０≦Δ＜Ｌであり、ｊ＞０に対しては、
ポジション［ｊ］＝ポジション［ｊ−１］＋Ｌ×Ｎ／Ｍ
【００２５】
他の実施形態においては、チャンク内のサブキャリア数をＬ、ＡＣＫ／ＮＡＣＫメッセージが送信されるユーザ端末に割り当てられたチャンク番号をｉ、ＡＣＫ／ＮＡＣＫチャンネルごとに割り当てられるサブキャリア数をＭ、チャンク内のＡＣＫ／ＮＡＣＫサブキャリアポジションオフセットをΔ、割り当てられた帯域幅内のチャンクの総数をＮ、サブキャリアを割り当てることができる利用可能なシンボル数をＮｓｙｍとすると、以下のマッピングを使用することができる。
【００２６】
ポジション［０］＝Ｌ×ｉ＋Δ
ここで、０≦Δ＜Ｌであり、ｊ＞０およびｊ＜Ｍに対しては、シンボルｊ×Ｎｓｙｍ／Ｍにおいて、
ポジション［ｊ］＝（（ポジション［ｊ−１］＋Ｌ×Ｎ／Ｍ） mod Ｌ×Ｎ）
【００２７】
また、本発明のこの態様は、複数のサブキャリアを使用する通信方法であって、アップリンクデータを送信可能な前記サブキャリアの割当を定義する制御データを受信し、前記アップリンクデータを送信し、前記アップリンクデータを送信するために割り当てられたサブキャリアに応じて、送信されたアップリンクデータに対するＡＣＫ／ＮＡＣＫメッセージを受信するために使用される１以上のサブキャリアを決定し、送信されたアップリンクデータに対するＡＣＫ／ＮＡＣＫメッセージを決定されたサブキャリアにより受信する、通信方法を提供する。典型的には、ＡＣＫ／ＮＡＣＫメッセージが受信されるサブキャリアは、アップリンクデータを送信するのに使用されるサブキャリアとは異なるものであり、上述したようなマッピング関数を通じてこれらと関連している。
【００２８】
本発明のこれらの態様および様々な他の態様は、一例として述べられ、添付図面を参照して説明される実施形態に関する以下の詳細な説明から明らかになるであろう。
【発明を実施するための最良の形態】
【００２９】
概要
図１は、携帯電話（ＭＴ）３−０，３−１，３−２のユーザが、基地局５および電話網７を介して他のユーザ（図示せず）と通信できる移動体（携帯電話）通信システム１を模式的に示している。本実施形態においては、基地局５は、携帯電話３に送信されるデータを複数のサブキャリアによって変調する直交周波数分割多元接続（ＯＦＤＭＡ）技術を用いている。それぞれの携帯電話３には、その携帯電話３がサポートしている帯域幅とその携帯電話３に送信されるデータ量に応じて異なるサブキャリアが割り当てられる。本実施形態においては、基地局５は、動作する携帯電話３を基地局の帯域幅にわたって均一に分布させるために、それぞれの携帯電話３にデータを伝送するために用いられるサブキャリアを割り当てる。この目的を達成するために、基地局５は、各携帯電話３に対してサブキャリアを動的に割り当て、スケジューリングされた携帯電話３のそれぞれに各サブフレームの割当を信号送信する。提案されているＥ−ＵＴＲＡ無線インターフェイスにおいては、それぞれのダウンリンクサブフレームは、一連の７つのＯＦＤＭシンボルを有している。典型的には、最初の２つのシンボルは、他の一般的な制御データとともにスケジューリング・リソース割当制御データを伝送し、残りの５つのシンボルは、ダウンリンク用ユーザデータを含んでいる。
【００３０】
図２は、基地局５が、サポートされる帯域幅の範囲内で、サポートされる帯域幅の異なる携帯電話３にサブキャリアを割り当てている様子の例を示している。本実施形態においては、基地局５は２０ＭＨｚの帯域幅をサポートしており、そのうちの１８ＭＨｚがデータ送信に使用される。典型的には、それぞれの携帯電話３には、アップリンクデータが送信されるサブキャリアの１以上のチャンクが割り当てられる。
【００３１】
各サブバンド内でのスケジューリング結果がそれぞれの携帯電話３に通知されるようにするために、各携帯電話３はそのキャンプト周波数帯域内で共有制御チャンネルを必要とする。Ｅ−ＵＴＲＡ無線インターフェイスに対する現在の提案は、この制御チャンネルが以下のものを含むこととしている。
【００３２】
ｉ）リソースブロック割当情報（ダウンリンク（ＤＬ）通信およびアップリンク（ＵＬ）通信の双方について）
ｉｉ）ダウンリンク用リソースブロック復調情報
ｉｉｉ）アップリンク用リソースブロック復調情報
ｉｖ）アップリンク送信に対するＡＣＫ／ＮＡＣＫ
ｖ）タイミング制御ビット
したがって、異なる種類の情報を制御チャンネルが伝送しなければならないことを考えると、制御チャンネルのサイズは個々の携帯電話の状況に依存する。制御チャンネルのサイズに相違が生じる状況の例を以下の表１に示す。
【００３３】
【表１】
2009540626.tif 000003
【００３４】
本発明者は、制御チャンネルのサイズが異なると、制御チャンネルのサイズを携帯電話３に信号送信しなければならなくなり、あるいは受信する携帯電話３が可能なすべてのサイズを考慮して制御チャンネルデータを取り出すようにしなければならなくなるために問題が生じることに気づいた。本発明者は、この問題は、ＡＣＫ／ＮＡＣＫフィールドを制御チャンネルそのものから専用の（セミスタティックな）時間／周波数リソースに取り出してやることで避けることができるか、あるいは少なくとも軽減できるということに気づいた。さらに、携帯電話３がＵＬとＤＬの双方でスケジューリングされている場合には、割り当てられたＤＬリソースブロック内にＵＬのスケジューリング情報を含めることが可能となる。これは、ＤＬ制御チャンネルサイズに対して２つの場合に分けることができる。
【００３５】
タイプ１：ＤＬスケジューリング情報（上記１，２，５，６の場合に用いられる）
タイプ２：ＵＬスケジューリング情報（上記３，７の場合に用いられる）
【００３６】
第１の実施形態
本発明者は、ダウンリンクにおいてＡＣＫ／ＮＡＣＫ情報が届くのを待っている携帯電話３に対してＡＣＫ／ＮＡＣＫ情報を伝送するために、ダウンリンクにおいて１以上のサブキャリアを予約しておくことを提案する。そのような用途のために確保されるリソースの数および時間／周波数平面におけるそれらの位置は、共通の信号送信を通じて携帯電話に通知することができる。本実施形態においては、ＡＣＫ／ＮＡＣＫ情報がサブキャリアで伝送される携帯電話に通知するために必要とされる信号を少なくするため、受信応答の対象であるデータに対するＵＬチャンク割当と、共通の信号チャンネルから得られる情報とを用いて、ＡＣＫ／ＮＡＣＫ情報が送信されるサブキャリアを導き出すように携帯電話がプログラムされる。アップリンク送信用に割り当てられたチャンクと、対応するＡＣＫ／ＮＡＣＫメッセージに対して割り当てられたサブキャリアとの間で実際にマッピングを行うために、種々の手法を用いることができる。
【００３７】
第１のマッピング例
この例においては、基地局５により各ＡＣＫ／ＮＡＣＫチャンネルに割り当てられたサブキャリアの数Ｍが基地局５から共通の信号チャンネルを通じて携帯電話３に通知され、携帯電話３からサブキャリアの１つのチャンクにより送信されるデータに対する受信応答を行うために１つのＡＣＫ／ＮＡＣＫチャンネルが使用される。したがって、アップリンク送信用に２つのチャンクを携帯電話３に割り当てる場合には、その携帯電話３に対してＡＣＫ／ＮＡＣＫコマンド（メッセージ）を送信するために２つのＡＣＫ／ＮＡＣＫチャンネルが使用される。また、この例では、基地局５は、チャンク内にあるＡＣＫ／ＮＡＣＫサブキャリアポジションオフセット（Δ）を携帯電話３に通知する。そして、それぞれの携帯電話３は、データが送信されるアップリンク送信チャンク番号ｉと、対応するＡＣＫ／ＮＡＣＫチャンネルのサブキャリアとの間のマッピングを以下のように決定する。
【００３８】
ポジション［０］＝Ｌ×（ｉ div Ｍ）＋（ｉ mod Ｍ）＋Δ
ここで、０≦Δ＜Ｌであり、ｊ＞０に対しては、
ポジション［ｊ］＝ポジション［ｊ−１］＋Ｌ×Ｎ／Ｍ
であり、Ｌは各チャンクにおけるサブキャリアの数、Ｎは割り当てられた帯域幅におけるチャンクの総数であり、典型的には（必ずとは限らないが）ＬとＮはいずれもシステム設計に対して一定であり、携帯電話３と基地局５にプログラムされている。
【００３９】
ポジション［ｊ］は、ｊ番目のＡＣＫ／ＮＡＣＫシンボルを送信するために用いられるサブキャリアの番号である。ポジション［ｊ］の範囲は０から（Ｌ×Ｎ）−１であり、Ｌ×Ｎはシステム帯域幅におけるアクティブなサブキャリアの総数である。１つのＡＣＫ／ＮＡＣＫメッセージ内のシンボル数をＭとすると、ｊの範囲は０からＭ−１である。
【００４０】
図３は、ダウンリンクサブフレームの２番目のＯＦＤＭシンボル内においてすべてのＡＣＫ／ＮＡＣＫが多重化され、Ｎ＝１２，Ｌ＝２５，Ｍ＝６，Δ＝０とした場合を示している。図示されるように、図３に示される多重化は、（各ユーザに１つのチャンクが割り当てられる）５ＭＨｚの帯域内で同時に最大１２人のユーザをサポートするように設計されており、各チャンクに対する受信応答は６つのサブキャリアＡＣＫ／ＮＡＣＫチャンネルによりなされる。これらのサブキャリアの使用により、ダウンリンク制御チャンネル用の２番目のＯＦＤＭシンボルにおいて利用可能なサブキャリアの数は明らかに減少してしまう。しかしながら、ＡＣＫ／ＮＡＣＫが届くのを待っている（かつ他のダウンリンクデータを受信するようにスケジュールされていない）携帯電話３は、最初の２つのＯＦＤＭシンボルだけをモニタするだけで、その後マイクロスリープモードに移行すればよいので、この構造により携帯電話３でのマイクロスリープモードをサポートすることができる。
【００４１】
好ましくは、各ＡＣＫ／ＮＡＣＫコマンドの送信パワーは、アップリンクにおいて携帯電話３に割り当てられるチャンク数に反比例しており、ＡＣＫ／ＮＡＣＫコマンドごとの総エネルギーは、受信応答されるチャンクの数から独立したものである。
【００４２】
当業者であれば理解できるように、等間隔のＡＣＫ／ＮＡＣＫサブキャリア分布を持った全周波数ダイバーシティを利用するためには、ＭはＮの因数である必要がある。
【００４３】
図３に示されるＴＤＭマッピング体系の他のメカニズムとして、Ｎ×Ｍ個のＡＣＫ／ＮＡＣＫサブキャリアを第２のＯＦＤＭシンボル内のすべての帯域にわたって均一に分布させるものがある。しかしながら、この場合においては、ＭがＬの因数でないと、ＡＣＫ／ＮＡＣＫ間隔が不均一となる。
【００４４】
第２のマッピング例
別の割当方法として、１つのＯＦＤＭシンボルにＡＣＫ／ＮＡＣＫチャンネル用のサブキャリアを割り当てる代わりに、複数のシンボルにサブキャリアを割り当てることができる。例えば、残っているＯＦＤＭシンボル（パイロットおよび制御チャンネルのみを含む第１のＯＦＤＭシンボル以外のすべて）にＡＣＫ／ＮＡＣＫリソースを振り分けることができる。
【００４５】
この例においては、基地局５は、ＡＣＫ／ＮＡＣＫチャンネルごとのサブキャリア数Ｍ、チャンク内のＡＣＫ／ＮＡＣＫサブキャリアポジションオフセット（Δ）、利用可能なＯＦＤＭシンボルの数Ｎｓｙｍを携帯電話３に通知し、携帯電話３は、アップリンク送信チャンク番号iと対応するダウンリンクＡＣＫ／ＮＡＣＫサブキャリアとの間のマッピングを以下のように決定する。
【００４６】
ポジション［０］＝Ｌ×ｉ＋Δ
ここで、０≦Δ＜Ｌであり、ｊ＞０およびｊ＜Ｍに対しては、シンボルｊ×Ｎｓｙｍ／Ｍにおいて、
ポジション［ｊ］＝（（ポジション［ｊ−１］＋Ｌ×Ｎ／Ｍ） mod Ｌ×Ｎ）
であり、ポジション［ｊ］は、ｊ番目のＡＣＫ／ＮＡＣＫシンボルを送信するために用いられるサブキャリアの番号である。ポジション［ｊ］の範囲は０から（Ｌ×Ｎ）−１であり、Ｌ×Ｎはシステム帯域幅におけるアクティブなサブキャリアの総数である。１つのＡＣＫ／ＮＡＣＫメッセージ内のシンボル数をＭとすると、ｊの範囲は０からＭ−１である。
【００４７】
図４は、Ｎ＝１２，Ｌ＝２５，Ｍ＝６，Δ＝０、Ｎｓｙｍ＝６とした場合を示している。当業者であれば理解できるように、この種のマッピングでは、ユーザデータのチャンク帯域幅は各シンボル内のシングルサブキャリアによって狭くなるが、マイクロスリープモードの実現性が減少する。さらに、時間領域においてＡＣＫ／ＮＡＣＫコマンドの均一な間隔を実現するために、ＭはＮｓｙｍの因数である必要がある。
【００４８】
ダウンリンク制御チャンネルサイズ
ＡＣＫ／ＮＡＣＫチャンネルの上記構造の１つを考えると、５ＭＨｚの帯域幅の携帯電話３用のダウンリンク制御チャンネルにおいて必要とされるビット数は以下表２の通りである。
【００４９】
【表２】
2009540626.tif 000004
【００５０】
本実施形態では、携帯電話３がデコードを１回試みるだけで済むように、タイプ１とタイプ２とでエンコードされるビット数を同じにするために調整ビットが用いられる。設計上の必要に応じて、調整ビットを用いずに多少修正を加えた構造も考えられる。
【００５１】
提案される制御チャンネルマッピングの一例が図５に示されている。本図において、効率的な電力制御とビーム形成技術を実現するために、制御チャンネルはそれぞれ符号化されているものとする。制御チャンネルポジションは第１のＯＦＤＭシンボル内にのみ示されており、第２のシンボルはパイロットおよび追加の制御情報を伝送するものとする。スケジューリングされた携帯電話３のそれぞれには、５ＭＨｚ内に１つの制御チャンネルが割り当てられているものとし、複数のそのようなチャンネルを高帯域幅携帯電話３がデコードするようになっている。可能であれば、その周波数位置で優れたチャンネル特性を得るために、ユーザデータがスケジューリングされているリソース（サブキャリア）に行き渡るように制御チャンネルの周波数位置を選択すべきである。図５は、最大１２人のユーザが１０ＭＨｚ内にスケジューリングされる場合を示している。ユーザ数がこれより少ない場合には、制御チャンネルリソースの一部を解放し、ユーザデータに使用することができる。先行する制御チャンネルにおける１つのビットフィールドを用いて特定の位置に制御チャンネルが存在しないことを示すことができる。
【００５２】
図５に示されるように、タイプ１およびタイプ２の制御チャンネルは、それぞれ２チャンクにわたるものとする。可能な制御チャンネルの総数は、図示しないＡＣＫ／ＮＡＣＫチャンネルに採用されるマッピングに依存している。
【００５３】
ＡＣＫ／ＮＡＣＫリソース割当の構造は、同一サブフレーム内でダウンリンクリソース割当をせずに携帯電話３のみに割り当てることでさらに簡単にすることができる。同一サブフレーム内でダウンリンクスケジューリングメッセージを有する携帯電話３に対して、ダウンリンクリソースブロック（ユーザデータ）内でＡＣＫ／ＮＡＣＫを通知することができる。そのような場合には、ダウンリンクリソースブロック内の制御情報が自己エラーコーディング保護機能を持っているので、単一ビットＡＣＫ／ＮＡＣＫで十分である。しかしながら、この場合における制御チャンネル検出におけるエラーにより、ダウンリンク制御チャンネルに対してより厳しい性能要求を課す可能性のあるＡＣＫ／ＮＡＣＫ情報を携帯電話３が取得できなくなる。
【００５４】
基地局
図６は、本実施形態で用いられる基地局５の主要な構成要素を示すブロック図である。図示されるように、基地局５は、（上述したサブキャリアを用いて）１以上のアンテナ２３を介して信号を携帯電話３に送信および携帯電話３から受信し、かつ、ネットワークインターフェイス２５を介して信号を電話網７に送信および電話網７から受信する送受信回路２１を含んでいる。送受信回路２１の動作は、メモリ２９内に格納されたソフトウェアに従ってコントローラ２７によって制御される。このソフトウェアは、特にオペレーティングシステム３１およびリソース割当モジュール３３を含んでいる。リソース割当モジュール３３は、送受信回路２１による携帯電話３との通信に使用されるサブキャリアを割り当てるためのものである。また、このソフトウェアは、アップリンク送信に対して当該データの肯定応答に使用されるＡＣＫ／ＮＡＣＫチャンネルに割り当てられたチャンク番号間のマッピングに必要な情報を携帯電話３に通知するＡＣＫ／ＮＡＣＫモジュール３５を含んでいる。また、ＡＣＫ／ＮＡＣＫモジュール３５は、受信されたデータに対するＡＣＫ／ＮＡＣＫコマンドを、携帯電話３による受信のためにＡＣＫ／ＮＡＣＫチャンネルで送信する。
【００５５】
携帯電話
図７は、図１に示されるそれぞれの携帯電話３の主要な構成要素を模式的に示すものである。図示されるように、携帯電話３は、１以上のアンテナ７３を介して信号を基地局５に送信および基地局５から受信する送受信回路７１を含んでいる。また、図示されるように、携帯電話３は、携帯電話３の動作を制御するものであって、送受信回路７１と拡声器７７、マイクロフォン７９、ディスプレイ８１、およびキーパッド８３とに接続されたコントローラ７５を含んでいる。コントローラ７５は、メモリ８５内に格納されたソフトウェア命令に従って動作する。図示されるように、これらのソフトウェア命令は、特にオペレーティングシステム８７およびリソース割当モジュール８９を含んでいる。本実施形態においては、携帯電話３が送信したデータに対するＡＣＫ／ＮＡＣＫコマンドを伝送するサブキャリアを識別するために適切なマッピングを行うＡＣＫ／ＮＡＣＫモジュール９１を含んでいる。（図３および図４を参照した）上述のマッピングのいずれかのみを行えるように携帯電話３をプログラムしてもよいし、あるいは基地局５が使用するマッピングを変化させる場合には、与えられたサブフレームに対して使用されるマッピングを携帯電話３に通知する必要がある。
【００５６】
上述した実施形態においては、ＡＣＫ／ＮＡＣＫメッセージのために使用されるリソースは、適切な一対一マッピングを介したアップリンク送信用に携帯電話３に割り当てられているリソースに関係している。しかしながら、この手法の短所は、１つの携帯電話３に複数のアップリンクリソースが割り当てられると、ＡＣＫ／ＮＡＣＫメッセージ用のダウンリンクにおいて同数のリソースを使用しなければならないことにあり、これはシステムのリソースを効率的に使用しているとはいえない。
【００５７】
第２の実施形態
上述した実施形態は出願人の先の英国特許出願ＧＢ第０６１２２２８．７号において最初に述べられた。当該出願以来、Ｅ−ＵＴＲＡ無線インターフェイス案に対して多くの変更がなされている。いくつかの用語が変更されており、現在ではサブフレームは、送信時間間隔（ＴＴＩ）と同じ意味であり、それぞれ上述した７つのＯＦＤＭシンボルを有する２つの０．５ｍｓスロットを有している。また、リソースブロック（ＲＢ）またはチャンクは、周波数領域における１２個の連続したサブキャリアからなる。さらに、現在の案によれば、それぞれの基地局５は、同時に１つの帯域幅のみをサポートし、２０ＭＨｚの最大帯域幅まで他の帯域幅にアップグレードすることができる。基地局５と通信する携帯電話３はすべてが基地局５と同じ帯域幅をサポートしていなければならない。
【００５８】
また、（リソース割当が信号で送信される）Ｌ１／Ｌ２制御チャンネル構造についての提案も変更されている。特に、図８に示される現在の案によれば、ｎ≦３で、２番目のＯＦＤＭシンボルがＡＣＫ／ＮＡＣＫリソースを伝送するものとすると、最初のｎ個のＯＦＤＭシンボルにおけるダウンリンク信号のために所定量の時間−周波数リソースが予約される。スケジューリングされる携帯電話３のそれぞれには、基地局５の動作バンド帯域幅（この例では１０ＭＨｚ）の範囲内で１以上の制御チャンネルが割り当てられているものとする。利用可能なリソースは、一定サイズの多数の「制御チャンネル要素」（ＣＣＥ）に分割される。携帯電話３用の制御チャンネルは、これらのＣＣＥのうちの１つから、あるいは、多数のＣＣＥの集合体から形成することができる。１つの制御チャンネルに使用されるＣＣＥが多くなればなるほど、得られるコーディングゲインは大きくなる。そのため、チャンネル条件は悪くなるが、（例えば通話可能範囲の境界にいるユーザのために）ユーザのために多くのＣＣＥが使用される傾向がある。可能であれば、その周波数位置で優れたチャンネル特性を得るために、ユーザデータがスケジューリングされているリソースに行き渡るように、あるいは、大きな周波数ダイバーシティを得るために全帯域幅に行き渡るように制御チャンネルの周波数位置を選択すべきである。制御チャンネルへのＣＣＥのマッピングは動的になされ、サブフレーム上でサブフレームベースで基地局５により制御される。スケジューリングメッセージが携帯電話３に送信されつつある場合にそれをモニタするためにＣＣＥのセットが携帯電話３に通知される。ＣＣＥの集合は携帯電話３にはわからないので、自力で各ＣＣＥのデコード、ＣＣＥの組み合わせのデコードなどを試みなければならない。デコードが成功すると、正しい組み合わせが判明したことがわかり、メッセージを読むことができる。ダウンリンクおよびアップリンクリソースのスケジューリング用に各携帯電話３に対して制御チャンネルを別個に設けてもよい。
【００５９】
この構成により、割り当てられたアップリンクリソースではなく、ダウンリンク（Ｌ１／Ｌ２）制御チャンネルを定義するために使用されるリソースを参照して、使用されているＡＣＫ／ＮＡＣＫリソースを第１の実施形態と同様に定義することができた。しかしながら、この手法では、それぞれの携帯電話３が、他の制御チャンネルのインデックスに対して、そのＬ１／Ｌ２ダウンリンク制御チャンネルに使用されているリソースのインデックスを把握している必要がある。しかしながら、現在の案では、各携帯電話３はそのＬ１／Ｌ２制御チャンネルを正しくデコードしたことを把握しているだけである。他の携帯電話３のインデックスに対して、その制御チャンネルに使用されているリソースのインデックスは把握していない。
【００６０】
したがって、この第２の実施形態においては、基地局５により使用されるＡＣＫ／ＮＡＣＫリソースのインデックスは、アップリンクリソース割当のために使用されるＬ１／Ｌ２制御チャンネル内であらかじめ携帯電話３に信号送信される。このプロセスは図９に示されている。図示されるように、基地局５は、アンリンクデータを送信した後にその携帯電話３に基地局５がＡＣＫ／ＮＡＣＫメッセージを信号送信するために用いられるＡＣＫ／ＮＡＣＫリソースのインデックスを、アップリンク割当用に使用されるＬ１／Ｌ２制御チャンネルを通じて携帯電話３に信号送信する。
【００６１】
この構成により、動的にスケジューリングされる携帯電話３と持続的にスケジューリングされる携帯電話３とで別個のリソースを作成する必要がない。いずれの場合においても、すべての携帯電話３に対するＡＣＫ／ＮＡＣＫ送信のためにリソースがプールされる。そして、ＡＣＫ／ＮＡＣＫ応答が届くのを待っている携帯電話３のそれぞれには、目的のＡＣＫ／ＮＡＣＫリソースに対応するインデックスが信号送信される。当業者であれば理解できるように、このインデックスを信号送信するために必要とされるビット数は、ＡＣＫ／ＮＡＣＫリソースとして予約されているリソース数に依存する。さらに、２つ以上のＡＣＫ／ＮＡＣＫリソースが必要とされる場合には、２つ以上のインデックスをＬ１／Ｌ２制御チャンネルに挿入することができる。
【００６２】
改良および代替案
多くの詳細な実施形態について述べてきた。当業者であれば理解できるように、具体化された本発明による利益を得つつ、上記実施形態に対して多くの改良および代替案が考えられる。実例として、これらの代替案および改良のいくつかについて説明する。
【００６３】
上述した実施形態においては、上述したＡＣＫ／ＮＡＣＫリソース信号法が用いられる携帯電話ベースの通信システムについて述べた。当業者であれば理解できるように、そのようなＡＣＫ／ＮＡＣＫリソースの信号法は、複数のサブキャリアを用いる通信システムであれば用いることができる。特に、上述した信号法は、電磁信号または音響信号を用いてデータを伝送する有線または無線ベースの通信に用いることができる。一般的には、基地局は、多くの異なるユーザ端末と通信する通信ノードで置き換えることができる。例えば、ユーザ端末は、携帯情報端末、ラップトップコンピュータ、ウェブブラウザなどを含んでいてもよい。
【００６４】
上述した実施形態において、基地局は、第１の実施形態では２０ＭＨｚ、第２の実施形態では１０ＭＨｚの動作帯域幅を有するものとし、キャリア周波数を有するチャンクはそれぞれ２５個のサブキャリアを有するものとして定義した。当業者であれば理解できるように、本発明はこれら特定のチャンクや帯域幅のサイズに限定されるものではない。
【００６５】
上述した実施形態においては、多くのソフトウェアモジュールについて述べた。当業者であれば理解できるように、ソフトウェアモジュールは、コンパイルされた形態またはコンパイルされていない形態で提供することができ、基地局からあるいは携帯電話からコンピュータネットワークを通じてあるいは記録媒体により供給することができる。さらに、このソフトウェアの一部または全部により実現される機能を１以上の専用ハードウェア回路を使って実現してもよい。しかしながら、基地局５および携帯電話３の機能を更新するためのアップデートが簡単になるので、ソフトウェアモジュールを使用することが好ましい。
【００６６】
以下は、現在提案されている３ＧＰＰ  ＬＴＥ規格において本発明を実施できる方法を詳細に述べたものである。種々の特徴が必須または必要であると述べられているが、これは、例えばその規格が必要としているからであって、提案されている３ＧＰＰ  ＬＴＥ規格についてのみ当てはまるものである。したがって、これらの記述は、本発明を何らかの形で制限するものと解釈してはならない。以下の説明では、ＵＴＲＡＮのロングタームエボリューション（ＬＴＥ）における命名法を用いる。例えば、基地局はeNodeBといい、ユーザ端末はＵＥという。
【００６７】
１．イントロダクション
先のＲＡＮ１＃４８会合において、ＡＣＫ／ＮＡＣＫ制御信号法およびこれに関連してあらかじめ設定されたリソースに対して以下の動作上の了解事項が合意に至った［１］。
【００６８】
・ＡＣＫ／ＮＡＣＫ用に使用されるリソースはセミスタティックベースで設定される。  ・制御チャンネルフォーマットとは独立して定義される。  
・動的にスケジューリングされるデータ送信のために使用されるアップリンクリソースまたは割当のために使用されるＤＬ制御チャンネルと、フィードバック用に使用されるダウンリンクＡＣＫ／ＮＡＫリソースとの間には暗黙的な関係がある。
【００６９】
しかしながら、上記箇条書きの最後の項目は、どのようにＡＣＫ／ＮＡＣＫが特定のＵＥに信号送信されるかについては明確に示していない。
【００７０】
本明細書においては、ＡＣＫ／ＮＡＣＫ制御信号法に対する既存の信号送信オプションを分析し、各ＵＥに対するＡＣＫ／ＮＡＣＫのための効率的な信号送信メカニズムを提案する。
【００７１】
２．ダウンリンクＡＣＫ／ＮＡＣＫ制御信号法
NodeBは、ＵＥから受信したアップリンク送信に対してＡＣＫ／ＮＡＣＫ情報を送信する。次に、ＵＥはあらかじめ設定されたダウンリンクリソースの１つにそのＡＣＫ／ＮＡＣＫ情報が届くのを待つ。ダウンリンクでそのような情報が届くのを待っているすべてのＵＥに対してＡＣＫ／ＮＡＣＫ情報を伝送するために予約されたダウンリンク内に多くのサブキャリアがあることを前提とする。そのような利用のために予約されたリソースの数および時間／周波数平面におけるその位置は、通話可能範囲内のすべてのＵＥに共通の信号法によりセミスタティックベースで通知することができる。しかしながら、ＵＥがＡＣＫ／ＮＡＣＫ情報が届くのを待っている場合には、ＵＥはこれらの予約済みリソース内のどの場所でＡＣＫ／ＮＡＣＫ情報を探せばよいかを把握している必要がある。
【００７２】
ＲＡＮ１においては、信号送信のオーバーヘッドを少なくするために、ＩＤなしＵＥのＡＣＫ／ＮＡＣＫ信号法が提案されている［２−６］。これらの予約済みリソースにおけるＡＣＫ／ＮＡＣＫ情報の場所をＵＥが知るための暗黙的信号法が提案されている。
【００７３】
３．暗黙的ＡＣＫ／ＮＡＣＫ信号法
暗黙的信号法においては、少なくとも２つのオプションがあり得る。
【００７４】
・オプション１：動的にスケジューリングされるデータ送信のために使用されるアップリンクリソースと、フィードバック用に使用されるダウンリンクＡＣＫ／ＮＡＫリソースとの間の暗黙的な関係
・オプション２：割当のために使用されるＤＬ制御チャンネルと、フィードバック用に使用されるダウンリンクＡＣＫ／ＮＡＫリソースとの間の暗黙的な関係
・アップリンク無線リソース割当用のダウンリンクＬ１／Ｌ２制御チャンネルのインデックスと、ＡＣＫ／ＮＡＣＫ無線リソースのインデックスとの間の一対一の関係
【００７５】
オプション１は、ＡＣＫ／ＮＡＣＫリソースの数がアップリンクリソースブロック（ＲＢ）の数に等しく、両者の間に関連があることを前提としている。ＵＥは、ＡＣＫ／ＮＡＣＫ情報が届くと予測される場所を把握しており、これは、ＡＣＫ／ＮＡＣＫ情報のサブキャリアが送信されるＵＬ送信のためのＵＬリソースを把握することにより導き出すことができる。しかしながら、オプション１の短所は、アップリンクにおいて１つのＵＥに対して多数のＲＢが割り当てられると、これらのＲＢに対応して同数のＡＣＫ／ＮＡＣＫリソースが存在することである。NodeBがこれらすべてのリソースに１つのＡＣＫ／ＮＡＣＫ情報を信号送信することは効率的ではない。このように、オプション１は、ダウンリンクリソースの一部を無駄にしている。
【００７６】
オプション２は、アップリンク無線リソース割当用のダウンリンクＬ１／Ｌ２制御チャンネルのインデックスと、ＡＣＫ／ＮＡＣＫ無線リソースのインデックスとの間に一対一の関係があることを前提としている。オプション２の短所は、アップリンク無線リソース割当用の他のダウンリンクＬ１／Ｌ２制御チャンネルに対するインデックスをＵＥが把握していないことである。ＵＥは、アップリンク無線リソース割当用のＬ１／Ｌ２制御チャンネルを正しくデコードしたことを把握しているだけである。
【００７７】
先の合意においては［１］、制御チャンネルは制御チャンネル要素（ＣＣＥ）の集合体によって形成されることが合意された。各ＵＥがダウンリンクＬ１／Ｌ２制御チャンネルを見つけるために手探りでデコードを試行できるように各ＵＥがＭＣＳフォーマットを把握していることを前提としている。ＵＥがアップリンク無線リソース割当用のダウンリンクＬ１／Ｌ２制御チャンネルをデコードする場合、ＵＥは、帯域幅における他のすべてのＣＣＥに対して、割り当てられた制御チャンネル要素（ＣＣＥ）のインデックスを把握している。したがって、ＵＥがＣＣＥのインデックスを使用することが可能である。しかしながら、帯域幅には多くのＣＣＥがあり、ＵＥに１以上のＣＣＥが割り当てられる可能性がある。そして、オプション２にはオプション１と同様に短所があり、このため効率的ではない。
【００７８】
４．ＤＬのＬ１／Ｌ２制御チャンネルにおけるインデックス信号送信
オプション２の短所は、他のＵＥに対するＡＣＫ／ＮＡＣＫ情報が届くと予測される場所を把握できるように、あらかじめＡＣＫ／ＮＡＣＫリソースのインデックスをＵＥに信号送信することで避けることができる。この場合において、図８に示されるように、アップリンク無線リソース割当用のＤＬのＬ１／Ｌ２制御チャンネルにインデックスが挿入される。インデックス用のビット数は、各帯域幅におけるＡＣＫ／ＮＡＣＫリソース用に予約されたリソースの数に依存している。
【００７９】
我々の提案においては、動的にスケジューリングされるＵＥと持続的にスケジューリングされるＵＥとで別個のリソースを作成する必要がない。いずれの場合においても、すべてのＵＥに対するＡＣＫ／ＮＡＣＫ送信のためにリソースがプールされる。そして、ＡＣＫ／ＮＡＣＫ応答が届くのを待っている各ＵＥには、目的のＡＣＫ／ＮＡＣＫリソースに対応するインデックスが信号送信される。
【００８０】
５．結論
本書類においては、ＡＣＫ／ＮＡＣＫ制御信号送信用の既存の信号送信オプションを分析し、既存のオプションの問題点を明らかにしている。さらに、アップリンク無線リソース割当用のＤＬのＬ１／Ｌ２制御信号送信においてインデックスを挿入することにより、既存のオプションの欠点を回避する信号送信メカニズムを提案する。このため、以下の事項を提案する。
【００８１】
・アップリンク無線リソース割当用のダウンリンクＬ１／Ｌ２制御チャンネルにおいて挿入されるインデックスは、ＡＣＫ／ＮＡＣＫ無線リソースのために使用されなければならない。
【００８２】
６．参考文献
［１］R1-071223, “Way Forward on Downlink Control Signaling,” Ericsson, Nokia, NTT DoCoMo, et al.
［２］R1-070867, “ACK/NACK Signal Structure in E-UTRA,” NTT DoCoMo, et al.
［３］R1-070932, “Assignment of Downlink ACK/NACK channel,” Panasonic
［４］Rl-070734, “ACK/NAK Channel Transmission in E-UTRA Downlink,” TI
［５］Rl-070791, “Downlink Acknowledgement and Group Transmit Indicator Channels,” Motorola
【図面の簡単な説明】
【００８３】
【図１】電話網に接続された基地局と通信する多数のユーザ携帯（移動）電話を有する通信システムを模式的に示している。
【図２】図１に示される基地局の通信帯域幅を多数の異なる携帯電話に割り当てている様子を示している。
【図３】ＡＣＫ／ＮＡＣＫ情報を伝送するためにダウンリンクのサブキャリアを予約している様子を示している。
【図４】ＡＣＫ／ＮＡＣＫ情報を伝送するためにダウンリンクのサブキャリアを予約している別の様子を示している。
【図５】同じサイズの２種類のダウンリンク制御チャンネルを用いる制御チャンネルマッピング案を示している。
【図６】図１に示される基地局の主要な構成要素を示すブロック図である。
【図７】図１に示される携帯電話のうちの１つの主要な構成要素を示すブロック図である。
【図８】２種類のダウンリンク制御チャンネルを用いた制御チャンネルマッピング案を示している。
【図９】別の実施形態においてＡＣＫ／ＮＡＣＫリソース信号送信が実現される様子を示している。
【図１】
2009540626.tif 000005
【図２】
2009540626.tif 000006
【図３】
2009540626.tif 000007
【図４】
2009540626.tif 000008
【図５】
2009540626.tif 000009
【図６】
2009540626.tif 000010
【図７】
2009540626.tif 000011
【図８】
2009540626.tif 000012
【図９】
2009540626.tif 000013
【国際調査報告】
2009540626.tif 000014
2009540626.tif 000015